(57)【要約】【課題】ハーロゲンランプの照明を用いた映像獲得装備によって獲得した使用者の目映像に対して虹彩領域だけを抽出するための前処理を遂行して、前記前処理を行った虹彩映像によって使用者の身元を識別する。【解決手段】虹彩認識方法において、(a)前記前処理を行った虹彩映像に対してドベシィウェーブレット変換を所定の回数の間繰り返し遂行して映像信号を多重で分割して、前記分割された領域の中で特徴抽出のために高周波成分だけを含んだ領域を抽出する段階、(b)前記抽出された高周波成分の領域に対して特徴ベクターを構成する情報の値を抽出して、該当の値を量子化して二陣特徴ベクターを生成する段階、及び(c)前記生成された特徴ベクターと既に登録された特徴ベクターの類似度を測定して使用者の真偽ほどを判別する段階で構成される。【選択図】図２
2004527832.tif 000002
【特許請求の範囲】
【請求項１】
ハーロゲンランプの照明を利用した映像獲得装備によって獲得した使用者の目映像に対して虹彩領域だけを抽出するための前処理を遂行して、前記前処理を行った虹彩映像によって使用者の身元を識別する虹彩認識方法において、
(a)前記前処理を行った虹彩映像に対してドベシィウェーブレット変換を所定の回数の間繰り返し遂行して映像信号を多重で分割して、前記分割された領域の中で特徴抽出のために高周波成分だけを含んだ領域を抽出する段階；
(b)前記抽出された高周波成分の領域に対して特徴ベクターを構成する情報の値を抽出して、該当の値を量子化して二陣特徴ベクターを生成する段階；及び
(c)前記生成された特徴ベクターと既存に登録された特徴ベクターの類似度を測定して使用者の真偽ほどを判別する段階
で構成されることを特徴にするドベシィウェーブレット変換を利用した虹彩認識方法。
【請求項２】
第１項において、前記段階(a)は、
各映像分割の段階毎にｘ軸とy軸に対して高周波成分だけを含んだ領域（ＨＨ）を抽出して、その領域（ＨＨ）の情報を特徴抽出のための情報として貯蔵して、繰り返し回数が指定された繰り返し回数以下である場合には、前記分割された領域中でx軸とy軸に対して低周波成分だけを含む領域（ＬＬ）を抽出して多重分割を遂行して、繰り返し回数が指定された繰り返し回数に到逹すれば映像の多重分割を終了することを特徴にするドベシィウェーブレット変換を利用した虹彩認識方法。
【請求項３】
第２項において、
上記指定された繰り返し回数は４回に設定されることを特徴にするドベシィウェーブレット変換を利用した虹彩認識方法。
【請求項４】
第１項において、前記段階(b)は、
前記段階(a)での多重分割によって形成された多数個の高周波領域（ＨＨｉ）に対する分割映像を入力される段階；
前記入力された高周波領域中に一番最後に得られたＨＨ領域（ＨＨＮ）を除いた其の他のＨＨ領域（Ｎ−１）の情報に対して各領域の平均値を求めて、その求められた（Ｎ−１）個の平均値を特徴ベクターの一の構成要素でそれぞれ割り当てる段階；
前記入力された高周波領域中に一番最後に得られたＨＨ領域（ＨＨＮ）に存在するＭ個のすべての値を特徴ベクターの構成要素でそれぞれ割り当てる段階；
前記（Ｎ−１）個の平均値とＭ個の値を結合してＭ＋（Ｎ−１）次元の特徴ベクターを生成する段階；及び
前記生成された特徴ベクターの各要素値を二陣値に量子化してＭ＋（Ｎ−１）ビットの最終特徴ベクターで生成する段階で構成されることを特徴にするドベシィウェーブレット変換を利用した虹彩認識方法。
【請求項５】
第１項において、前記段階(c)は、
前記段階(b)で生成された特徴ベクター(fR)と既存に登録された特徴ベクター(fT)のｉ番目次元にそれぞれ加重値を適用する段階；
前記加重値の適用された二つの特徴ベクターの間の内積(S)を計算して、その計算された二つの特徴ベクターの間の内積(S)が検証基準値(C)以上ならば本当の使用者に判別する段階で構成されることを特徴にするドベシィウェーブレット変換を利用した虹彩認識方法。
【発明の詳細な説明】
【技術分野】
【０００１】
本発明は、ドベシィウェーブレット変換を用いた虹彩認識方法に関するもので、より詳しくは虹彩認識方法において、入力された虹彩映像信号からドベシィ(Daubechies)ウェーブレット変換によって虹彩特徴を抽出することで特徴ベクターの次元を減らして、前記抽出された特徴値に対して量子化関数を適用して二陣特徴ベクターを生成する。すなわち、低用量特徴ベクターを生成して保存用量の減少と処理時間の短縮によって虹彩認識の効用性をより向上するようにして、前記生成された特徴ベクターと既に登録された特徴ベクターの類似度測定においても前記低用量特徴ベクターに適している測定方法を適用するドベシィウェーブレット変換を利用した虹彩認識方法に関するものである。
【背景技術】
【０００２】
虹彩認識システムは人毎の固有な瞳の虹彩パターンを区別して身分を証明する装置として、他の生体認識方法である音声や指紋よりその身分確認の正確度が優れていて高度の保安性を誇る。すなわち、虹彩(iris)は目の瞳孔と白い部分の間に存在する領域で、虹彩認識とは個人のそれぞれ異なる虹彩パターンを分析して、その情報を基に個人の身元を認識する技術と言える。
【０００３】
一般的に、生体の特徴情報を活用して個人の身元を確認して応用しようとする技術分野において核心になる技術は、入力映像から独特の特徴情報を効率的に獲得することであり、虹彩映像に対する特徴抽出方法ではウェーブレット変換を使っているが、ウェーブレット変換は信号を多解像度 (multiresolution)で解釈する技法の一種である。ウェーブレット(Wavelet)とは特別に選択された信号を利用して信号及びシステムまたはこのような一連の過程のためのモデルを作る数学的な理論として、特別に選択された信号をリットルウエーブ(Little Wave)またはウェーブレット(Wavelet)と言う。ウェーブレット(Wavelet)は、フーリエ変換に基盤を置いた既存の信号処理アルゴリズムに比べて速度が早くて時間と周波数領域で信号の局所化を効率的に具現するから、最近信号及び映像処理分野に多く応用されている。
【０００４】
一方、映像獲得装備によって獲得された虹彩映像から虹彩パターンだけを抽出して４５０×６０の大きさに正規化した映像は、ウェーブレット(Wavelet)変換を利用して特徴値を抽出することになる。既存の虹彩認識または映像処理などではハー(Harr)ウェーブレット変換が多く使われたが、ハー(Harr)ウェーブレット関数は不連続的に値打ちが急激に変わる短所があって、映像を圧縮した後また復元する場合に高い解像度の映像を得ることができないとの問題点があった。これに比べて、ドベシィ(Daubechies)ウェーブレット関数は連続関数であるから不連続的に値打ちが急激に変わるハー(Harr)ウェーブレット関数の短所を補完してより正確で精巧な特徴値を抽出することが可能で、よってこれを利用して映像を圧縮した後また復元する場合、ハー(Harr)ウェーブレットを利用した時よりずっと元の映像に近く高解像度で復元することができる。但し、ドベシィ(Daubechies)ウェーブレット関数はハー(Harr)ウェーブレット関数より複雑だから、これを利用する場合演算量が多いという短所があるものの、これは最近超高速マイクロプロセッサーの登場によって克服可能な問題である。
【０００５】
前記ドベシィ(Daubechies)ウェーブレット変換は特徴抽出のためのウェーブレット変換を遂行する過程で細密な特徴を取ることができる長所がある。すなわち、ドベシィ(Daubechies)ウェーブレット変換を使えば低用量で虹彩の特徴表現が可能なだけでなく正確な特徴の抽出が可能である。
【０００６】
既存の虹彩認識分野ではガボール変換を利用して特徴を抽出してベクターを構成する方法が主であったが、このような方法によって生成された特徴ベクターは２５６以上の次元で構成されて、一次元当たり１バイトを占めると仮定しても最小限２５６バイト以上を占めるから低用量情報を要する分野に適用の際には実用性と効率性が低下される問題点を持っているので、パターン情報の処理と保存及び送信、検索などが効率的に成り立つことができる低用量特徴ベクターの構成方法に対する必要性が台頭して来た。また、アメリカ特許公報第５２９１５６０号のような従来の技術ではパターン分類のために二つの特徴ベクター(入力パターンに対する特徴ベクターと保存されている参照特徴ベクター)の間のハミング距離(ＨＤ;hamming distance)のような簡単な距離測量方法を利用するからパターン情報の一般化を通じた参照特徴ベクターの構成が容易ではなく特徴ベクターの各次元が持つ情報の特性を適切に反映できないとの短所を持っている。
【０００７】
すなわち、二陣ベクターに生成された二つの特徴ベクターの検証のためにハミング距離を利用する方法において、各次元別に割り当てされたビット値を比べて一致すれば０、異なれば１を変換してこれを総次元数で分けて最終結果を表すようになる。これは二陣コードに形成された特徴ベクターの一致ほどを判別するにおいて簡単で有用な方法である。ハミング距離を利用すれば同一データの場合すべてのビットの比較結果が０になるので０に近い結果であるほど本人のデータであることが分かる。他人のデータである場合、その一致ほどが確率上０．５を表すので他人のデータとの比較の時０．５辺りに値が集中していることが分かる。よって、０と０．５の間に適切な境界値を設定すれば本人と他人のデータを区別する境界になるのである。ハミング距離(HD)は抽出された虹彩特徴からデータを細分して情報を得た場合にはその性能が優秀だが、低用量のデータを使おうとする場合には適していない。言い替えれば、特徴ベクターの情報が２５６バイトとして比較される総ビット数が２０４８個である場合にはハミング距離を適用しても相当に高い認識率を確保できるが、本発明のように特徴ベクターの数が減少した低用量特徴ベクターを使う場合には高い認識率を確保できないのである。
【０００８】
一方、前記低用量特徴ベクターを使う場合にも損失される情報が多くなるから、認識率向上にある程度の限界を持つようになる問題点があるので、特徴ベクターの用量を最小に維持すると同時に情報の損失も阻む方法の導入が特徴ベクターの生成過程に必要である。
【０００９】
【特許文献１】
米国特許第５２９１５６０号明細書
【発明の開示】
【発明が解決しようとする課題】
【００１０】
本発明は前記の問題点を解決するためのもので、本発明の目的は、入力された 虹彩映像信号からドベシィ(Daubechies)ウェーブレット変換によって虹彩の特徴を抽出して、従来のハー(Harr)ウェーブレット変換による特徴抽出に比べて誤認識率（ＦＡＲ）と誤拒否率（ＦＲＲ）を著しく減少させることができる低用量特徴ベクターの構成方法を提供することにある。
また、低用量特徴ベクターの構成による情報の損失を最小化することができる、低用量特徴ベクターに適した特徴ベクターの間の類似度測定方法を提供することを目的としている。
【課題を解決するための手段】
【００１１】
前述した本発明の目的を果たすため、本発明によるドベシィウェーブレット変換を利用した虹彩認識方法は、ハーロゲンランプの照明を利用した映像獲得装備によって獲得した使用者の目映像に対して虹彩領域だけを抽出するための前処理を遂行して、前記前処理を行った虹彩映像によって使用者の身元を識別する虹彩認識方法において、(a)前記前処理を行った虹彩映像に対してドベシィ(Daubechies)ウェーブレット変換を所定の回数の間繰り返し遂行して映像信号を多重で分割して、前記分割された領域の中で特徴抽出のために高周波成分だけを含んだ領域を抽出する段階;(b)前記抽出された高周波成分の領域に対して特徴ベクターを構成する情報の値を抽出して、該当の値を量子化して二陣特徴ベクターを生成する段階;及び(c)前記生成された特徴ベクターと既に登録された特徴ベクターの類似度を測定して使用者の真偽ほどを判別する段階で構成されることを特徴にする。
【００１２】
本発明を概略的に説明すれば、ハーロゲンランプの照明を利用した映像獲得装備を通じて虹彩映像を獲得して、入力される虹彩映像に対してウェーブレット変換の繰り返し遂行を通じて虹彩映像信号を多重分割して最適化された大きさの特徴を抽出して、前記抽出した特徴値に対して量子化過程を行ってパターンの表象と処理面で效果的な特徴ベクターを構成する。前記ウェーブレット変換を使うにおいてはドベシィ(Daubechies)ウェーブレット変換を使うことで、ウェーブレットの長所を最大限に活かしながらより正確な特徴値の抽出を可能にして、前記抽出された特徴値を二陣値に量子化して特徴ベクターの次元を減らした場合、すなわち、低用量特徴ベクターを構成した場合これによる認識率低下を防止するために前記低用量特徴ベクターに適した検証方法として、加重値を付与して登録特徴ベクターと入力特徴ベクターの間の類似度を測定する方法を使うことになって、これによって使用者の真偽ほどを判別するようになる。
【発明の効果】
【００１３】
上述したように、本発明によるドベシィウェーブレット変換を利用した虹彩認識方法は入力された虹彩映像信号からドベシィ(Daubechies)ウェーブレット変換によって虹彩の特徴を抽出することで、従来のハー(Harr)ウェーブレット変換による特徴抽出に比べて誤認識率（ＦＡＲ）と誤拒否率（ＦＲＲ）が著しく減少する効果がある。
【００１４】
また、登録された特徴ベクター(fR)と抽出された特徴ベクター(fT)の間の類似度を検証するために二つの特徴ベクターの間の内積(S)を計算して、前記計算された二つの特徴ベクターの間の内積(S)によって測定された類似度によって使用者の真偽ほどを判別することで、低用量特徴ベクターの構成による情報の損失が最小化されるようにする特徴ベクターの間の類似度測定方法を提供する効果があるのである。
【発明を実施するための最良の形態】
【００１５】
以下、本発明によるドベシィウェーブレット変換を利用した虹彩認識方法に対して添付した図面を参照して詳細に説明する。
図１は本発明による虹彩認識方法のための映像獲得装備の構成図として、図１を参照して虹彩映像獲得装備の構成を説明すれば、本発明による虹彩認識方法のための映像獲得装備は鮮明な虹彩パターンを獲得するように照明してくれるハーロゲンランプ(11)とレンズ(12)を通じて使用者の目(10)を撮影するＣＣＤカメラ(13)、前記ＣＣＤカメラ(13)と繋がれて虹彩映像を獲得するフレームグラバ(14; Frame Grabber)及び映像獲得の時に正確な映像獲得と使用者の位置選定便宜をはかるための現在カメラに入力される映像を使用者に見せてくれるモニター(15)で構成される。
【００１６】
前記映像獲得装備の構成において、映像獲得にはＣＣＤカメラを使って、虹彩筋の模様の特性分析を通じて虹彩認識を遂行する。一方、室内で普通の照明で虹彩映像を獲得する場合には虹彩映像が全般的に暗いから希望するパターン情報を抽出しにくい。よって、虹彩映像の情報が損失されないように別途の周辺照明を使うようになるが、このような場合に反射光による虹彩パターン情報の損失と認識性能の低下を防止し、また鮮明な虹彩パターンを得ることができるように適切な照明を使わなければならない。本発明では虹彩パターンを鮮やかに表すように強力な投光效果のハーロゲンランプ(11)を主照明に使って、図１のようにハーロゲンランプの照明を左右側面に位置させてランプの反射光が虹彩領域の外郭に結ばれるようにすることで、虹彩映像の情報が損失されないようにして、また使用者の目の疲れを防止するようにする。
【００１７】
図２は本発明による虹彩映像の検証過程を表したフローチャートとして、図２を参照して説明すれば、段階200では前記で説明した映像獲得装備を通じて使用者の目映像を獲得して、段階210では前記獲得した目映像から前処理過程を行って虹彩領域だけを抽出して極座標係で変換して、その変換した虹彩パターンは特徴抽出モジュールの入力に提供される。
段階220では前記極座標で変換した虹彩パターンを入力されてドベシィ(Daubechies)ウェーブレット変換を遂行して虹彩領域の特徴を抽出する。前記抽出された特徴は実数値を持つようになる。段階230では前記抽出された特徴に対してＫレベル量子化関数を適用して二陣特徴ベクターを生成して、段階240では生成された特徴ベクターと既存に保存していた使用者の登録データとの類似度を測定する。この結果を通じて使用者の真偽ほどを判別して検証結果を表す。
【００１８】
前記のようにドベシィ(Daubechies)ウェーブレット変換を遂行して虹彩領域の特徴を抽出する場合に、８係数と１６係数あるいはその以上の係数を持つドベシィウェーブレット関数は、４係数ドベシィウェーブレット関数より複雑だがもっと精巧な特徴値を抽出することができる。しかし、本発明では８係数以上のドベシィウェーブレット関数を使って実験した結果４係数の場合より性能の向上がなく、相当に演算量が多くなって処理時間が長くなるため特徴値を抽出する時４係数ドベシィウェーブレット関数を使った。
【００１９】
図３は本発明によるドベシィ(Daubechies)ウェーブレット変換を遂行して虹彩映像を多重分割する過程を表したフローチャートで、図４はドベシィウェーブレット変換を利用した映像分割を図示したものである。図３と図４を参照して説明すれば、本発明では虹彩映像の特徴抽出を遂行するにおいて、多様なマザー(mother)ウェーブレットの中でドベシィ(Daubechies)ウェーブレットを使って、図４で低周波(low frequency)成分をＬで表示して、高周波(High frequency)成分をHで表示する時、ＬＬ部分はx、y方向すべて低帯域フィルター(ＬＰＦ; low pass filter)を通過させた成分で、 ＨＨはすべて高帯域フィルター(ＨＰＦ; high pass filter)を通過させた成分ということを意味して、下添え字の数字は映像分割の段階を意味するもので、例えばＬＨ２の場合には２段階のウェーブレット分割からx方向に低帯域フィルター(ＬＰＦ; low pass filter)を通過させてy方向に高帯域フィルター(ＨＰＦ; high pass filter)を通過させたことを意味する。
【００２０】
段階310では、入力された虹彩映像に対してドベシィ(Daubechies)ウェーブレット変換を適用して虹彩映像を多重で分割する。虹彩映像は一次元信号がx軸とy軸に並んでいる2次元信号と思うことができるのでこれを分析するためにそれぞれx、y方向でＬＰＦとＨＰＦを通過させて一の映像に対して四つの部分に分割された成分を抽出する。すなわち、２次元映像信号に対してそれぞれ横と縦に対してウェーブレット変換を遂行するようになってウェーブレット１回遂行に対してＬＬ、ＬＨ、ＨＬ、ＨＨ四つの領域に分割される。この時、ドベシィ(Daubechies)ウェーブレット変換を通じて高帯域フィルター(ＨＰＦ; high pass filter)を通過した成分である信号の差成分Ｄ(difference)と、低帯域フィルター(ＬＰＦ; low pass filter)を通過した成分である信号の平均成分であるＡ(average)で信号が分割される。
【００２１】
一方、虹彩認識システムの性能は誤認識率(ＦＡＲ:False Acceptance Rate)と誤拒否率(ＦＲＲ:False Rejection Rate)という二つの要素に評価される。誤認識率（ＦＡＲ）は登録されていない人を登録されたと過って認識して出入りを許容する可能性を意味して、誤拒否率（ＦＲＲ）は登録された人を登録されていない人として判定して出入りを拒否する割合を意味するもので、参照で、本発明によるドベシィウェーブレット変換を利用した虹彩認識方法を適用した場合には従来のハーウェーブレット変換を利用した虹彩認識方法に比べて誤認識率（ＦＡＲ）が５．５％から３．０７％で減少して、誤拒否率（ＦＲＲ）は５．０％から２．２５％で減少した。
【００２２】
段階320では、前記分割した虹彩映像からx軸とy軸に対してすべて高周波成分のみを含む領域(ＨＨ)を抽出する。
段階330では、前記虹彩映像の分割の時に繰り返し回数を増加してその繰り返した回数が指定された回数より多い場合に処理過程を終了するようにして、これに比べて繰り返した回数が指定された回数より少ない場合には段階340でＨＨ領域の情報を特徴抽出のための情報として貯蔵する。
【００２３】
また、段階350では、多重分割された映像でx軸及びy軸に対してすべて低周波成分のみを含む領域(ＬＬ)を抽出して、前記抽出したＬＬ部分(すべての映像に比べて大きさが1/4で縮んだ映像)に映像の主要情報が含まれているので該当の部分にウェーブレットを再び適用できるように新しい処理対象映像に提供することで、再び段階310の過程からドベシィ(Daubechies)ウェーブレット変換を繰り返して遂行するようになる。
【００２４】
一方、虹彩映像を直角座標係から極座標係で変換する場合に、瞳孔の大きさ変化による虹彩特徴の変化のないようにするために内/外部境界の間を６０個の間隔で分けて正規化作業をして、θを０．８ずつ変化させて４５０個の情報を表現するようにすれば、最終的にθ×ｒ＝４５０×６０個の虹彩映像の情報を得るようになって、虹彩映像で１回のウェーブレット変換を遂行するようになれば大きさが半分に縮んだ２２５×３０人ＨＨ１領域の特徴を得ることができる。すなわち、特徴ベクターでは２２５×３０個の情報を使うようになるのだ。この情報をそのまま使っても構わないが、その情報の大きさを減らすために信号の分割過程を更に繰り返して遂行する。ＬＬ部分に映像の主要情報が含まれているから該当の部分にウェーブレットを更に適用すればＨＨ２、ＨＨ３、ＨＨ４のように大きさが縮んだ特徴値を得ることができる。
【００２５】
前記でウェーブレットの繰り返し遂行のための判断基準に提供される繰り返し回数は、情報の損失可否及び特徴ベクターの大きさを考慮して適切な値に設定されなければならない。よって、本発明の場合にはウェーブレットを４回行って得られたＨＨ４領域を主な特徴領域にしてその値を特徴ベクターの構成要素として取る。この時、ＨＨ４領域は２８×３＝８４個の情報を含む。
【００２６】
図５は本発明による虹彩映像の多重分割過程で得られたデータによって虹彩映像の特徴ベクターを構成する過程を表したフローチャートで、図５を参照して説明すれば、段階510では前記過程で抽出されたＮ個の特徴ベクターすなわち、ＨＨ１、ＨＨ２、ＨＨ３及びＨＨ４領域に対する情報を入力される。段階520では、前記Ｎ個の特徴ベクター中で一番最後のウェーブレット変換を通じて得られたＨＨ４領域の情報を除いたＨＨ１、ＨＨ２、ＨＨ３に対しては各領域別の特徴情報を取るための各領域の平均値を求めて１次元ずつを割り当てる。段階530では、一番最後に得られたＨＨ４領域に対して該当の領域のすべての値をそれぞれの特徴で抽出する。虹彩映像信号に対して特徴が抽出されればこれを通じて特徴ベクターを生成するようになる。特徴値が実数の形で抽出されて、これを０と１の二陣コードで変換するのが特徴ベクター生成モジュールの主な過程である。
【００２７】
一方、段階540では、段階520で抽出されたＮ−１個の値と段階530で抽出されたＭ個(一番最後に得られたＨＨ領域の大きさ)の値を結合してＭ＋（Ｎ−１）次元の特徴ベクターを生成する。すなわち、本発明においてはＨＨ４領域の特徴ベクター８４個とＨＨ１、ＨＨ２、 ＨＨ３の平均値データ３個を結合して総８７個のデータを特徴ベクターで使うようになる。
段階550では、先に求められたベクターのあらゆる値すなわち、実数値で表現される特徴ベクターの各要素値を０または１の二陣値で量子化過程を遂行して、段階560では、量子化された値を使ってＭ＋（Ｎ−１）ビットの最終特徴ベクターを生成する。すなわち、本発明においては８７ビットの最終特徴ベクターを生成する。
【００２８】
図６（ａ）は、抽出された虹彩映像の特徴値の分布例を図示したもので、８７次元の特徴ベクター値の分布を各次元別で表して見れば同図のような形態を表すようになる。各次元別二陣ベクターの生成は下記数式１による。
【００２９】
（数１）
fn ＝ 0   但し f(n) ＜ 0
fn ＝ 1   但し f(n) ＞ 0
ここで、 f(n)はn番目次元の特徴値で、 fnはn番目特徴ベクター値である。
【００３０】
低用量特徴ベクターを使うために総８７次元に対して１ビットずつを割り当てて８７ビットの特徴ベクターを生成する場合には損失される情報が多くなるから認識率向上にどの位の限界を持つようになる。よって、特徴ベクターの用量を最小で維持する中、情報の損失も阻む方法の導入が特徴ベクターの生成過程に必要なのである。
【００３１】
図６（ｂ）は図６（ａ）の特徴値の分布例から二陣特徴ベクターを生成するための量子化関数を図示したもので、図６（ａ）のようにＭ＋（Ｎ−１）次元で抽出した特徴ベクターは０を中心にその大きさが最大１と−１の間で等しく分布するようになって、これを図６（ｂ）のようなＫレベル量子化関数を適用して二陣ベクターを生成するようにする。前記数式1の過程を通じてその特徴値の符号のみを取るようになるので、その大きさの情報は捨てられたことが分かって、本発明ではその大きさを取るための方法で４レベル量子化を選択した。
【００３２】
前記のように、４レベル量子化を通じて生成された特徴ベクターの效果的な比較のためにそれぞれの量子化レベルに下記の数式２のように加重値を置くようになる。
【００３３】
（数２）
fn ＝ 4   但し f(n) ≧ 0.5 (level 4)
fn ＝ 1   但し 0.5 ＞f(n) ≧ 0 (level 3)
fn ＝−1  但し 0 ＞f(n) ＞ −0.5 (level 2)
fn = −4  但し f(n) ≦ −0.5 (level 1)
【００３４】
ここで、fnは既に登録されていた使用者の特徴ベクター(fR)や使用者の目映像で獲得した虹彩映像から生成した使用者の特徴ベクター(fT)のｎ番目次元を意味して、前記数２による加重値適用を説明すれば下記のようである。
【００３５】
まずn番目次元の特徴値であるf(n)が０．５以上(level 4)として、前記特徴ベクターのi番目次元であるfRiやfTiが１１である場合には、fRiやfTiを４で変換して、f(n)が０以上で０．５より小さな場合(level 3)としてfRiやfTiが１０の場合、fRiやfTiを１で変換して、f(n)が−０．５以上で０より小さな場合(level 2)としてfRiやfTiが０１の場合、fRiやfTiを−１で変換して、f(n)が-0.5以上(level 1)として前記特徴ベクターのi番目次元であるfRiやfTiが００の場合、fRiやfTiを−４で変換する。前記数２のようにそれぞれの値に加重値を適用することはその次に繋がる検証方法に適しているからである。
【００３６】
図７は、特徴ベクター間の類似度測定を通じて使用者の真偽ほどを判別する過程を表したフローチャートで、図７を参照すれば、段階710では、使用者の目映像で獲得した虹彩映像から使用者の特徴ベクター(fT)を生成して、段階720では、既存に登録されていた使用者の特徴ベクター(fR)を検索して、段階730では、二つの特徴ベクターの間の類似度測定のために前記数２によって特徴ベクターfTとfRに対して二陣特徴ベクターの値によって加重値を適用する。
【００３７】
段階740では、二つの特徴ベクターの間の内積(S)を計算して最終的に類似度を測定するようになる。登録された特徴ベクター(fR)と使用者の特徴ベクター(fT)の間の関係を測定するのに一般的に使われる測度の中で一番直接的な連関性を表す測度は二つの特徴ベクターの間の内積(S)である。すなわち、前記段階730で各データに加重値を適用した後、二つの特徴ベクターの間の類似度を確認するために二つの特徴ベクターの間の内積(S)を使うのである。
下記の数式３は前記二つの特徴ベクターの間の内積(S)を計算するためのものである。
【００３８】
【数３】
2004527832.tif 000003
【００３９】
ここで、fRは既存に登録されていた使用者の特徴ベクターで、 fTは使用者の目映像で獲得した虹彩映像から生成した使用者の特徴ベクターである。
【００４０】
前記のような過程による場合、まず虹彩映像から抽出された各次元別特徴ベクター値に対して前記数１によって二陣ベクターを生成する方法のように符号による量子化の效果を維持することができる。すなわち、ハミング距離のように０と１の差を表せるが、これは各次元に対して同一符号の値を持つ場合には二つの特徴ベクターの間の内積(S)に加わる値は陽の値を維持して、各次元に対して同一でない符号の値を持つ場合には陰の値が加わるようになって、同一人のデータに対しては二つの特徴ベクターの間の内積(S)が大きくなって、同一人のデータではない場合には二つの特徴ベクターの間の内積(S)が小さくなる效果がある。
【００４１】
段階750では、前記二つの特徴ベクターの間の内積(S)によって測定された類似度によって使用者の真偽ほどを判別するようになり、前記測定された類似度による使用者の真偽ほどの判別は下記の数式４による。
【００４２】
（数４）
S＞C であれば、使用者は真、それ以外は偽者
【００４３】
ここで、 Cは二つの特徴ベクターの類似度を検証する検証基準値で、前記計算された二つの特徴ベクターの間の内積(S)が検証基準値(C)以上ならば本当の使用者に判別して、その他には偽者の使用者と判別するようになる。
【００４４】
以上で説明したことは本発明によるドベシィウェーブレット変換を利用した虹彩認識方法を実施するための一つの実施例に過ぎないもので、本発明は前記した実施例に限定されないで、以下の特許請求範囲で請求するように本発明の要旨を脱することがなく本発明が属する分野で通常の知識を持つ者なら誰でも多様な変更実施の可能な範囲まで本発明の技術的精神があると言うだろう。
【図面の簡単な説明】
【００４５】
【図１】本発明による虹彩認識方法のための映像獲得装備の構成図である。
【図２】本発明による虹彩映像の検証過程を表したフローチャートである。
【図３】本発明によるドベシィウェーブレット変換による虹彩映像の多重分割過程を表したフローチャートである。
【図４】ドベシィウェーブレット変換を利用した虹彩映像の多重分割の例を図示したものである。
【図５】本発明による虹彩映像の多重分割過程で得られたデータによって虹彩映像の特徴ベクターを構成する過程を表したフローチャートである。
【図６】（ａ）は抽出された虹彩映像の特徴値の分布例を図示したものであり、（ｂ）は特徴値の分布例より二陣特徴ベクターを生成するための量子化関数を図示したものである。
【図７】特徴ベクター間の類似度の測定を通じて使用者の真偽ほどを判別する過程を表したフローチャートである。
【符号の説明】
【００４６】
10 :使用者の目
11 :ハーロゲンランプ
12 :レンズ
13 :ＣＣＤカメラ
14 :フレームグラバ
15 :モニター
【図１】
2004527832.tif 000004
【図２】
2004527832.tif 000005
【図３】
2004527832.tif 000006
【図４】
2004527832.tif 000007
【図５】
2004527832.tif 000008
【図６】
2004527832.tif 000009
【図７】
2004527832.tif 000010
【国際公開パンフレット】
2004527832.tif 000011
2004527832.tif 000012
2004527832.tif 000013
2004527832.tif 000014
2004527832.tif 000015
2004527832.tif 000016
2004527832.tif 000017
2004527832.tif 000018
2004527832.tif 000019
2004527832.tif 000020
2004527832.tif 000021
2004527832.tif 000022
2004527832.tif 000023
2004527832.tif 000024
2004527832.tif 000025
2004527832.tif 000026
2004527832.tif 000027
2004527832.tif 000028
2004527832.tif 000029
2004527832.tif 000030
2004527832.tif 000031
2004527832.tif 000032
2004527832.tif 000033
2004527832.tif 000034
2004527832.tif 000035
【国際調査報告】
2004527832.tif 000036
2004527832.tif 000037